(57)【特許請求の範囲】
【請求項１】
グリップ本体の前側にハンドルレバーを回転可能に装着したハンドルグリップが前枠の前側に固定された皿装置の前側から皿装置のグリップ逃孔を経由して前枠に取り付けられるパチンコ機の球発射操作装置において、前枠には貫通孔を備え、前枠にハンドルグリップを取り付けるための固定具がグリップ固定部と当該グリップ固定部の後部から両側に突出する枠固定部とを備えた単一体として金属により形成され、固定具のグリップ固定部が前枠の裏側から上記前枠の貫通孔に挿入され、固定具の枠固定部が貫通孔周りにおける前枠の裏面に固定され、固定具のグリップ固定部の前側面にはカップリングが固定され、カップリングの前側面にはグリップ本体の後端部を格納する収納凹部を備え、ハンドルグリップのグリップ本体の後端部が皿装置の前側から上記皿装置のグリップ逃孔を経由してカップリングの収納凹部に格納され、上記収納凹部に格納されたグリップ本体の後端部が固定具のグリップ固定部にグリップ固定部の裏側から止ねじで固定されたことを特徴とするパチンコ機の球発射操作装置。
【請求項２】
グリップ固定部のカップリングを固定する前側面が前枠の前側面に対し右側に傾けられるように斜めに形成され、この斜めのグリップ固定部にグリップ本体がねじで固定されたことによって、ハンドルグリップが前枠の前側面に対し右側に傾けられたことを特徴とする請求項１記載のパチンコ機の球発射操作装置。
【発明の詳細な説明】
【０００１】
【発明の属する技術分野】
本発明は、パチンコ機の球発射操作装置に関する。
【０００２】
【従来の技術】
図４は特許第２５９９１０８号公報で開示されたパチンコ機の球発射操作装置を示す。図４において、１０１は前枠、１０２は前枠１０１に取付けられる下皿装置、１０３は下皿装置１０２に斜めに固定されたハンドルグリップ、１０４はハンドルグリップ１０３のハンドルレバーである。そして、遊技者がハンドルレバー１０４を一方向に操作すると、ハンドルグリップ１０３から出力される電気的な信号に基づき図外の球発射装置が図外の上皿装置より供給された球を発射する。
【０００３】
【発明が解決しようとする課題】
しかし、前記従来例は操作性を良くするためにハンドルグリップ１０３が斜めに設けられているが、ハンドルグリップ１０３が合成樹脂よりなる下皿装置１０２に取付けられた構造であるため、ハンドルグリップ１０３と下皿装置１０２との結合部分の強度が低く、パチンコ店において一般的に行われているハンドルグリップ１０３を持上げて前枠１０１を閉じる操作が繰り返されることにより、ハンドルグリップ１０３ががたついたり折れたりする可能性が高く、品質信頼性に欠けることは否めない。
【０００４】
そこで、本発明は、ハンドルグリップの取付強度を高くできるパチンコ機の球発射操作装置を提供するものである。
【０００５】
【課題を解決するための手段】
本発明にあっては、グリップ本体の前側にハンドルレバーを回転可能に装着したハンドルグリップが前枠の前側に固定された皿装置の前側から皿装置のグリップ逃孔を経由して前枠に取り付けられるパチンコ機の球発射操作装置において、前枠には貫通孔を備え、前枠にハンドルグリップを取り付けるための固定具がグリップ固定部と当該グリップ固定部の後部から両側に突出する枠固定部とを備えた単一体として金属により形成され、固定具のグリップ固定部が前枠の裏側から上記前枠の貫通孔に挿入され、固定具の枠固定部が貫通孔周りにおける前枠の裏面に固定され、固定具のグリップ固定部の前側面にはカップリングが固定され、カップリングの前側面にはグリップ本体の後端部を格納する収納凹部を備え、ハンドルグリップのグリップ本体の後端部が皿装置の前側から上記皿装置のグリップ逃孔を経由してカップリングの収納凹部に格納され、上記収納凹部に格納されたグリップ本体の後端部が固定具のグリップ固定部にグリップ固定部の裏側から止ねじで固定されたことを特徴としている。よって、本発明によれば、金属により形成された固定具のグリップ固定部が前枠に形成された貫通孔に裏側から挿入され、上記固定具の枠固定部が貫通孔周りにおける前枠の裏面に固定され、ハンドルグリップのグリップ本体の後端部が皿装置の前側から上記皿装置のグリップ逃孔を経由してカップリングの収納凹部に格納され、上記収納凹部に格納されたグリップ本体の後端部が固定具のグリップ固定部にグリップ固定部の裏側から止ねじで固定されたので、ハンドルグリップの取付強度が高くなり、品質信頼性を向上することができる。又、本発明にあっては、グリップ固定部のカップリングを固定する前側面が前枠の前側面に対し右側に傾けられるように斜めに形成され、この斜めのグリップ固定部にグリップ本体がねじで固定されたことによって、ハンドルグリップが前枠の前側面に対し右側に傾けられれば、ハンドルグリップの操作性も向上することができる。
【０００６】
【発明の実施の形態】
図１〜図３は本発明の一実施形態であって、図１は球発射操作装置の取付構造を横方向に切断した断面を示し、図２は球発射操作装置を分解した外観を示し、図３はカップリング４０の前側からの外観を示す。
【０００７】
図２を参照し、球発射操作装置について説明する。額縁状の前枠１は下縁部にハンドルグリップ２０を取付けるための貫通孔２と凹部３及び取付孔４、下皿装置１０を取付けるための開口部５や取付孔６とを備える。下皿装置１０は裏面にインサートボルトのような固着具１１や球取入口部１２及びグリップ逃孔１３を備える。ハンドルグリップ２０はグリップ本体２１の裏面より外側に引出された配線２２を備え、配線２２の端部にコネクタ２３を備え、グリップ本体２１の裏面に取付孔２４を備え、グリップ本体２１の外周面に凸状の回転止部２５を備え、グリップ本体２１の前側に回転可能に装着されたハンドルレバー２６を備え、ハンドルレバー２６の前側に笠状のキャップ２７を備える。キャップ２７はグリップ本体２１に固定される。
【０００８】
固定具３０は中央のグリップ固定部３１と両側の枠固定部３２とを備えた単一体として金属により形成され、グリップ固定部３１に配線孔３３及び取付孔３４；３５を備え、枠固定部３２に取付孔３６を備える。枠固定部３２を前枠１の裏面に取付けた状態において、グリップ固定部３１の前側面は前枠１の前側面と所定角度θ１（図１参照）となるように斜めに形成される。この実施形態の場合、前枠１を前側から見た場合に、前枠１の右側に設けられたグリップ固定部３１に固定されたハンドルグリップ２０の中心線Ｌと前枠１の前側面とが上記所定角度θ１に基づく所定角度θ２で右側に傾けられるので、ハンドルグリップ２０の操作性が向上する。
【０００９】
カップリング４０はグリップ固定部３１に止ねじ５０で取付けられた状態でハンドルグリップ２０の後端部を前側より嵌め込むことによりハンドルグリップ２０を回転しないように支持するものであって、配線孔４１及び取付孔４２を備える。図３にも示すように、カップリング４０は前側面にグリップ本体２１の後端部を格納する収納凹部４３を備え、収納凹部４３を囲む周壁４４にはグリップ本体２１の回転止部２５を格納する溝４５を備える。
【００１０】
本実施形態の組立について説明する。先ず、固定具３０とカップリング４０とを互いに固定する。それには、グリップ固定部３１の前側面にカップリング４０をグリップ固定部３１の裏側から止ねじ５０で固定する。次に、前枠１と固定具３０と下皿装置１０とを互いに固定する。それには、下皿装置１０の固着具１１を前枠１の取付孔６に前側より挿入し、次に、カップリング４０及びグリップ固定部３１を前枠１の貫通孔２に裏側より挿入し、枠固定部３２を前枠１の凹部３に裏側より挿入する。下皿装置１０の固着具１１の幾本かが前枠１の取付孔６より枠固定部３２の取付孔３６に挿入される。そして、下皿装置１０における前枠１や枠固定部３２より裏側に突出した固着具１１にナット５１を締結する。これによって、前枠１と固定具３０と下皿装置１０とが互いに固着具１１とナット５１とで固定される。
【００１１】
更に、ハンドルグリップ２０を下皿装置１０を前側より貫通して枠体１に固定する。それには、グリップ本体２１を下皿装置１０の前側よりグリップ逃孔１３に挿入してカップリング４０の収納凹部４３に挿入する。そのとき、グリップ本体２１の回転止部２５をカップリング４０の溝４５に嵌め込む一方、コネクタ２３及び配線２２をカップリング４０の配線孔４１及びグリップ固定部３１の配線孔３３より前枠１の裏側に引出す。そして、前枠１の裏側より止ねじ５３をグリップ固定部３１の取付孔３５よりグリップ本体２１の取付孔２４に締結する。これによって、ハンドルグリップ２０が下皿装置１０のグリップ逃孔１３を経由して固定具３０に固定される。
【００１２】
カップリング４０を固定具３０と単一体として形成したり、固定具３０を使用せずにハンドルグリップ２０を前枠１に取付けも、同様に適用できる。
【図面の簡単な説明】
【図１】本発明の実施形態の球発射操作装置の取付構造を示す断面図。
【図２】同実施形態の球発射操作装置を示す分解斜視図。
【図３】同実施形態のカップリングを前側から示す斜視図。
【図４】従来例を示す断面図。
【符号の説明】
１  前枠
１０  下皿装置
２０  ハンドルグリップ
３０  固定具
【図１】
0003556161.tif 000002
【図２】
0003556161.tif 000003
【図３】
0003556161.tif 000004
【図４】
0003556161.tif 000005